(57)【要約】【課題】光学部材にしわがよる現象又は破れを防止して画像の表示品質を向上させたバックライトアセンブリ及びこれを有する表示装置を提供する。【解決手段】底面及び該底面から延びた側壁を有する収納容器と、前記収納容器に収納され、光源及び該光源から発生した光を集光して出射する反射カバーを有する光源ユニットと、前記底面に配置され、前記光源と向い合う側面を有する導光板と、前記導光板の上面に配置された光学部材と、前記側壁の外側面に結合された第１面、該第１面から前記光学部材の上面を部分的にカバーするように延長し、前記光学部材の上面と所定間隔にて離隔した第２面を有するパネルガイド部材とを有する。【選択図】図１
2006049282.tif 000002
【特許請求の範囲】
【請求項１】
底面及び該底面から延びた側壁を有する収納容器と、
前記収納容器に収納され、光源及び該光源から発生した光を集光して出射する反射カバーを有する光源ユニットと、
前記底面に配置され、前記光源と向い合う側面を有する導光板と、
前記導光板の上面に配置された光学部材と、
前記側壁の外側面に結合された第１面、該第１面から前記光学部材の上面を部分的にカバーするように延長し、前記光学部材の上面と所定間隔にて離隔した第２面を有するパネルガイド部材とを有することを特徴とするバックライトアセンブリ。
【請求項２】
前記第２面のうち、前記光学部材と向い合う部分には光学部材及び第２面が接触しないようにしきいが形成されることを特徴とする請求項１記載のバックライトアセンブリ。
【請求項３】
前記第２面と前記反射カバーとの間には、第１ギャップが形成され、前記第２面と前記光学部材との間には第２ギャップが形成され、前記第２ギャップの幅は前記第１ギャップ以上であることを特徴とする請求項１記載のバックライトアセンブリ。
【請求項４】
前記第１ギャップは、０．０５ｍｍ〜０．１ｍｍの範囲を有し、前記第２ギャップは０．０５ｍｍ〜０．３ｍｍの範囲を有することを特徴とする請求項３記載のバックライトアセンブリ。
【請求項５】
前記光学部材は、光学部材と向い合う前記導光板の光出射面と実質的に同じ形状及び実質的に同じ平面積を有することを特徴とする請求項１記載のバックライトアセンブリ。
【請求項６】
前記第２面のうち、前記光学部材と向い合う位置には、前記第２面と前記光学部材との間に漏洩した光を吸収する光吸収フィルムが配置されることを特徴とする請求項１記載のバックライトアセンブリ。
【請求項７】
前記第２面及び前記光学部材を相互離隔させるために、前記第２面と前記光源カバーとの間にはスペーサが介在されることを特徴とする請求項１記載のバックライトアセンブリ。
【請求項８】
前記スペーサは、前記光源カバーに配置されることを特徴とする請求項７記載のバックライトアセンブリ。
【請求項９】
前記スペーサは、前記第２面のうち、前記光源カバーと向い合う位置に配置されることを特徴とする請求項７記載のバックライトアセンブリ。
【請求項１０】
底面及び該底面から収納空間を形成するために延長された側壁を有する収納容器と、
前記収納容器に収納され、光源及び該光源から発生した光を集光して出射する反射カバーを有する光源ユニットと、
前記底面に配置され、前記反射カバーに結合される導光板と、
前記導光板の上面に配置された光学部材と、
前記側壁の外側面に結合した第１面、該第１面から前記光学部材の上面を部分的にカバーするように延長し、前記光学部材の上面と所定間隔にて離隔した第２面を有するパネルガイド部材と、
前記パネルガイド部材にガイドされ、前記光源から発生した光を情報が含まれたイメージ光に変更させる表示パネルとを有することを特徴とする表示装置。
【請求項１１】
前記第２面のうち、前記光学部材と向い合う部分には、前記光学部材及び前記第２面が接触しないようしきいが形成されることを特徴とする請求項１０記載の表示装置。
【請求項１２】
前記第２面と前記反射カバーとの間には、第１ギャップが形成され、前記第２面と前記光学部材の上面との間には第２ギャップが形成され、前記第２ギャップの幅は前記第１ギャップ以上であることを特徴とする請求項１０記載の表示装置。
【請求項１３】
前記第１ギャップは０．０５ｍｍ〜０．１ｍｍの範囲を有し、前記第２ギャップは０．０５ｍｍ〜０．３ｍｍの範囲を有することを特徴とする請求項１２記載の表示装置。
【請求項１４】
前記光学部材は、光学部材と向い合う前記導光板の光出射面と実質的に同じ形状及び実質的に同じ平面積を有することを特徴とする請求項１０記載の表示装置。
【請求項１５】
前記第２面のうち、前記光学部材と向い合う位置には、前記第２面と前記光学部材との間に漏洩した光を吸収する光吸収フィルムが配置されることを特徴とする請求項１０記載の表示装置。
【請求項１６】
前記第２面及び前記光学部材を相互離隔させるために前記第２面と前記光源カバーとの間にはスペーサが介在させることを特徴とする請求項１０記載の表示装置。
【請求項１７】
前記スペーサは、前記光源カバーに配置されることを特徴とする請求項１６記載の表示装置。
【請求項１８】
前記スペーサは、前記第２面のうち、前記光源カバーと向い合う位置に配置されることを特徴とする請求項１６記載の表示装置。
【請求項１９】
光学部材の撓りと損傷を防止するためのバックライトアセンブリにおいて、
拡散シート、プリズムシート、及び輝度向上フィルムのうち少なくとも一つを有し、前記バックライトアセンブリの温度変化に対し敏感に膨張または収縮する光学部材と、
前記光学部材を固定し、前記光学部材が膨張時に必要な空間を確保するために前記光学部材と離隔されたパネルガイド部材とを有することを特徴とするバックライトアセンブリ。
【請求項２０】
前記バックライトアセンブリは導光板を更に有し、前記光学部材の一面は前記導光板上に配置され、前記光学部材の他面は前記バックライトアセンブリの全ての構成要素から離隔され前記光学部材が膨張することを許容するようになされることを特徴とする請求項１９記載のバックライトアセンブリ。
【請求項２１】
前記光学部材と離隔された前記パネルガイド部材との離隔距離は、前記光学部材の最大膨張量以上であることを特徴とする請求項１９記載のバックライトアセンブリ。
【請求項２２】
前記バックライトアセンブリは、光源と該光源から発生した光を前記光学部材にガイドする導光板を収納するための収納容器を更に有し、前記パネルガイド部材は、前記収納容器によって前記光学部材と離隔されるように配置されることを特徴とする請求項１９記載のバックライトアセンブリ。
【請求項２３】
前記パネルガイド部材は、前記収納容器の側壁に付着される第１プレート及び前記光学部材と離隔されるように部分的に重なる第２プレートを有することを特徴とする請求項２２記載のバックライトアセンブリ。
【請求項２４】
導光板から出射される光の特性を向上させるために前記導光板の出射面上に光学部材を提供する段階と、
前記光学部材を固定するためにパネルガイド部材をバックライトアセンブリに提供する段階と、
前記光学部材の膨張を考慮して前記光学部材と前記パネルガイド部材を離隔させる段階とを有することを特徴とするバックライトアセンブリの光学部材の撓りと損傷を防止する方法。
【請求項２５】
前記光学部材の最大膨張量を決定する段階を更に有し、前記光学部材の膨張を考慮して前記光学部材と前記パネルガイド部材を離隔させる段階では、前記最大膨張量以上に離隔させることを特徴とする請求項２４記載のバックライトアセンブリの光学部材の撓りと損傷を防止する方法。
【発明の詳細な説明】
【技術分野】
【０００１】
本発明は、バックライトアセンブリ及びこれを有する表示装置に係り、より詳細には、光学部材にしわがよる現象を防止して画像の表示品質を向上させたバックライトアセンブリ及びこれを有する表示装置、並びにバックライトアセンブリの光学部材の撓りと損傷を防止する方法に関する。
【背景技術】
【０００２】
一般的に、表示装置（ｄｉｓｐｌａｙ  ｄｅｖｉｃｅ）は、情報処理装置（ｉｎｆｏｒｍａｔｉｏｎ  ｐｒｏｃｅｓｓｉｎｇ  ｄｅｖｉｃｅ）で処理された電気的信号フォーマットのデータを画像に変更させる。
表示装置は、大きくは、自体、光を発生して画像を表示する能動型表示装置（ａｃｔｉｖｅ  ｄｉｓｐｌａｙ  ｄｅｖｉｃｅ）と外部で発生した光によって画像を表示する受動型表示装置（ｐａｓｓｉｖｅ  ｄｉｓｐｌａｙ  ｄｅｖｉｃｅ）に大きく区分される。
【０００３】
能動型表示装置は、陰極線管方式表示装置（Ｃａｔｈｏｄｅ  Ｒａｙ  Ｔｕｂｅ  ｔｙｐｅ  ｄｉｓｐｌａｙ  ｄｅｖｉｃｅ）及び有機電界発光表示装置（ＯＬＥＤ）などが代表的であり、受動型表示装置は液晶表示装置（ＬＣＤ）などが代表的である。
これらのうち、受動型液晶表示装置である液晶表示装置は自体が光を発生できないので暗い場所では画像を表示することができない。したがって、多くの液晶表示装置は暗い場所では画像を表示するために「バックライトアセンブリ」を有している（例えば、特許文献１参照）。
【０００４】
一般的に、バックライトアセンブリは、光を発生する光源、光源から発生した光の光学分布を変更させる多様な部材、例えば、導光板、光学部材、パネルガイド部材などを含む。
従来のバックライトアセンブリの光学部材はパネルガイド部材によって固定されるので、光学部材に熱が加えられる場合、光学部材が膨張又は収縮し、光学部材にしわがよる現象（ｗｒｉｎｋｌｅ）又は破れが発生し、これによって画像の表示品質が大きく低下する問題点があった。
【０００５】
【特許文献１】特開２００２−００６３１７号公報
【発明の開示】
【発明が解決しようとする課題】
【０００６】
そこで、本発明は上記従来のバックライトアセンブリにおける問題点に鑑みてなされたものであって、本発明の目的は、光学部材にしわがよる現象又は破れを防止して画像の表示品質を向上させたバックライトアセンブリを提供することにある。
また、本発明の他の目的は、上記バックライトアセンブリを有する表示装置を提供することにある。
【課題を解決するための手段】
【０００７】
上記目的を達成するためになされた本発明によるバックライトアセンブリは、底面及び該底面から延びた側壁を有する収納容器と、前記収納容器に収納され、光源及び該光源から発生した光を集光して出射する反射カバーを有する光源ユニットと、前記底面に配置され、前記光源と向い合う側面を有する導光板と、前記導光板の上面に配置された光学部材と、前記側壁の外側面に結合された第１面、該第１面から前記光学部材の上面を部分的にカバーするように延長し、前記光学部材の上面と所定間隔にて離隔した第２面を有するパネルガイド部材とを有することを特徴とする。
【０００８】
望ましくは、第２面のうち、前記光学部材と向い合う部分には、光学部材及び第２面が接触しないようしきいが形成されるのが好ましい。
望ましくは、第２面と反射カバーとの間には第１ギャップが形成され、第２面と光学部材の上面との間には第２ギャップが形成され、第２ギャップの幅は第１ギャップ以上であるのが好ましい。
望ましくは、第１ギャップは０．０５ｍｍ〜０．１ｍｍの範囲を有し、第２ギャップは０．０５ｍｍ〜０．３ｍｍの範囲を有するのが好ましい。
【０００９】
望ましくは、光学部材は光学部材と向い合う導光板の光出射面と実質的に同じ形状及び実質的に同じ平面積を有するのが好ましい。
選択的に、第２面のうち、光学部材と向い合う位置には第２面と光学部材との間に漏洩した光を吸収する光吸収フィルムが配置される。
望ましくは、第２面及び光学部材を相互離隔させるために、第２面と光源カバーとの間にはスペーサが介在させるのが好ましい。
望ましくは、スペーサは光源カバーに配置されるか、或いは光源カバーと向い合う第２面に配置されるのが好ましい。
【００１０】
また、上記目的を達成するためになされた本発明によるバックライトアセンブリは、光学部材の撓りと損傷を防止するためのバックライトアセンブリにおいて、拡散シート、プリズムシート、及び輝度向上フィルムのうち少なくとも一つを有し、前記バックライトアセンブリの温度変化に対し敏感に膨張または収縮する光学部材と、前記光学部材を固定し、前記光学部材が膨張時に必要な空間を確保するために前記光学部材と離隔されたパネルガイド部材とを有することを特徴とする。
【００１１】
上記目的を達成するためになされた本発明による表示装置は、底面及び該底面から収納空間を形成するために延長された側壁を有する収納容器と、前記収納容器に収納され、光源及び該光源から発生した光を集光して出射する反射カバーを有する光源ユニットと、前記底面に配置され、前記反射カバーに結合される導光板と、前記導光板の上面に配置された光学部材と、前記側壁の外側面に結合した第１面、該第１面から前記光学部材の上面を部分的にカバーするように延長し、前記光学部材の上面と所定間隔にて離隔した第２面を有するパネルガイド部材と、前記パネルガイド部材にガイドされ、前記光源から発生した光を情報が含まれたイメージ光に変更させる表示パネルとを有することを特徴とする。
【００１２】
上記目的を達成するためになされた本発明によるバックライトアセンブリの光学部材の撓りと損傷を防止する方法は、導光板から出射される光の特性を向上させるために前記導光板の出射面上に光学部材を提供する段階と、前記光学部材を固定するためにパネルガイド部材をバックライトアセンブリに提供する段階と、前記光学部材の膨張を考慮して前記光学部材と前記パネルガイド部材を離隔させる段階とを有することを特徴とする。
【００１３】
望ましくは、前記光学部材の最大膨張量を決定する段階を更に有し、前記光学部材の膨張を考慮して前記光学部材と前記パネルガイド部材を離隔させる段階では前記最大膨張量以上に離隔させるのが好ましい。
【発明の効果】
【００１４】
本発明によるバックライトアセンブリ、これを有する表示装置、及びバックライトアセンブリの光学部材の撓りと損傷を防止する方法によれば、光の特性を向上させる光学部材が表示パネルをガイドするパネルガイド部材によって動けないように固定されること、光学部材とパネルガイド部材が相互接触することを防止することにより、光学部材の撓り、しわがよる現象又は破れが発生しないようにすることで表示品質をより向上させることができるという効果がある。
【発明を実施するための最良の形態】
【００１５】
次に、本発明に係るバックライトアセンブリ及びこれを有する表示装置、並びにバックライトアセンブリの光学部材の撓りと損傷を防止する方法を実施するための最良の形態の具体例を図面を参照しながら説明する。
【実施例１】
【００１６】
図１は、本発明の第１の実施例によるバックライトアセンブリの断面図である。図２は、図１の「Ａ」部分の拡大図である。
図１及び図２を参照すると、バックライトアセンブリは望ましくは、収納容器１００、光源ユニット２００、導光板３００、光学部材４００、及びパネルガイド部材５００を含む。
【００１７】
収納容器１００は、底面１１０及び側壁１２０を含む。本実施例で、収納容器１００は金属物質からなり、底面１１０は直六面体プレート形状を有し、側壁１２０は底面１１０の上部に収納空間が形成されるよう底面１１０のエッジから延長及び／又は配置される。
光源ユニット２００は、収納容器１００の収納空間に収納される。具体的に、光源ユニット２００は、収納容器１００の側壁１２０及び底面１１０が接する位置に配置される。光源ユニット２００は収納容器１００の内部に一つ、又は相互に向い合うように二つを配置することができる。
【００１８】
光源ユニット２００は、光源２１０及び反射カバー２２０を含む。本実施例で、光源２１０は円柱形状を有する冷陰極線管蛍光ランプ（ＣＣＦＬ）を用いるのが望ましい。望ましくは、光源は電極が外部に配置された外部電極蛍光ランプ（ＥＥＦＬ）を用いることがより好ましい。外部電極蛍光ランプは消費電極量がより小さく、少なくとも二つの外部電極蛍光ランプを並列駆動しやすい長所を有する。
【００１９】
反射カバー２２０は、光源２１０を部分的に囲み、光源２１０で放射状に発生した光を一方向に集光して出射する。望ましくは、反射カバー２２０は光源２１０で光と共に発生した熱を迅速に放熱でき、光反射率が高い金属材質に製作することが望ましい。例えば、反射カバー２２０は光反射率と熱伝導率とが高い黄銅材質で製作することが好ましい。
【００２０】
導光板３００は光源ユニット２００から出射された光の輝度均一性を向上させ、光の方向を水平方向から垂直方向に変更させる。
導光板３００は光源２１０と向い合う光入射面３１０を含む側面、光入射面３１０に連結され、収納容器１００の底面１１０と向い合う光反射面３２０及び光入射面３１０と連結され、光反射面３２０と向い合う光出射面３３０を含む。
【００２１】
光源ユニット２００から出射された光は光入射面３１０を通じて導光板３００の内部に入射され、光出射面３３０で屈折の法則と透過条件を満たす光は導光板３００の光出射面３３０を通じて出射される。
【００２２】
一方、導光板３００の内部に入射された光のうち、光反射面３２０で屈折法則と透過条件を満たす光は導光板３００の光反射面３２０を通じて出射される。このように、導光板３００の光反射面３２０を通じて出射された光を再利用するために光反射面３２０と収納容器１００の底面１１０との間には反射板３５０を配置することができる。
【００２３】
導光板３００の光出射面３３０を通過した光は主に光出射面３３０と平行に近い方向に出射される。この時、導光板３００の光出射面３３０に対して傾いて出射された光は後述する表示パネルにて用いられるのに不適合である。一般的に、表示パネルにて画像を表示するためには、表示パネルに対して実質的に垂直な方向を有する光を必要とする。
【００２４】
導光板３００の光出射面３３０に出射された光が光出射面３３０に対して実質的に垂直な方向を有するようにするため、導光板３００の光出射面３３０上には光学部材４００が配置される。
光学部材４００は光出射面３３０から出射された光の進行角度を変更するだけでなく、光の輝度及び光の輝度均一性も共に向上させる。
【００２５】
光学部材４００は、薄い厚さを有するシート（ｓｈｅｅｔ）形状を有する。光学部材４００は、例えば、拡散シート（ｄｉｆｆｕｓｉｎｇ  ｓｈｅｅｔ）、プリズムシート（ｐｒｉｓｍ  ｓｈｅｅｔ）及び輝度向上フィルム（Ｂｒｉｇｈｔｎｅｓｓ  Ｅｎｈａｎｃｉｎｇ  Ｆｉｌｍ、ＢＥＦ）などを含む。
【００２６】
拡散シートは、光出射面３３０から出射された光を拡散させ、光の輝度均一性をより向上させ、プリズムシートは拡散シートを通過した光の進行角度が光出射面に対して実質的に垂直な方向を有するよう光の方向を調節する。輝度向上フィルムは画像を表示するのに不適合である光を画像を表示するのに適合する光に変更して画像の輝度を大きく向上させる。
【００２７】
パネルガイド部材５００は、収納容器１００の側壁１２０に固定され、第１面５１０及び第２面５２０を含む。第１面５１０はプレート形状であって、収納容器１００の側壁１２０に、例えば、フック（ｈｏｏｋ）方式で結合することができる。
第２面５２０は、第１面５１０から光源ユニット２００の反射カバー２２０を経由して導光板３００の光出射面３３０と平行な方向に延びている。ここで、第２面５２０の一部は導光板３００及び導光板３００の上面に形成された光学部材４００のエッジ部と重なる。ここで、第２面５２０のうち、導光板３００及び光学部材４００と重なる部分は光学部材４００と所定間隔に離隔される。
【００２８】
望ましくは、本実施例で、光学部材４００と向い合う第２面５２０には光学部材４００と第２面５２０の内側面を相互離隔させるためにしきい５２５を形成することが好ましい。
パネルガイド部材５００の第２面５２０及び光学部材４００が相互所定間隔に離隔されることによって、光学部材４００が光源ユニット２００の光源２１０で光と共に発生した熱によって膨張又は収縮しても光学部材４００にしわがよる現象（ｗｒｉｎｋｌｅ）又は破れが発生することを防止することができる。
【００２９】
本実施例で、パネルガイド部材５００は、圧縮力を受けることによって導光板３００に向かう方向に垂直移動する可能性があり、これによってパネルガイド部材５００の第２面５２０が光学部材４００と直接接触してしまう可能性がある。
これを防止するために、第２面５２０の内側面と反射カバー２２０の内側面との間には第１ギャップＧ１を有し、第２面５２０の内側面と光学部材４００との間には第２ギャップＧ２を有する。本実施例で、光学部材４００及び第２面５２０の内側面が直接接触することを防止するために第２ギャップＧ２は第１ギャップＧ１以上であることが望ましい。
【００３０】
本実施例で、第１ギャップＧ１は、約０．０５ｍｍ〜０．１ｍｍの範囲を有し、第２ギャップは約０．０５ｍｍ〜０．３ｍｍの範囲を有することが望ましい。このような範囲は光学部材の大きさによって決定される。
即ち、バックライトアセンブリで可能である最大温度を測定し、光学部材に印加することで最大膨張量を測定することができる。
【００３１】
一方、光学部材４００が第２面５２０の内側面から離脱することを防止するために光学部材４００は導光板３００と同じ形状及び同じ平面積を有することが望ましい。
また、光学部材４００が膨張又は収縮することを勘案して、光学部材４００の側面と第２面５２０のしきい５２５との間には所定間隔Ｄ１が形成されることが望ましい。
【００３２】
図２を参照すると、パネルガイド部材５００の第２面５２０の内側面と光学部材４００との間に形成されたギャップによって光学部材４００にしわがよる現象又は破れを防止することができる反面、光学部材４００と第２面５２０の内側面との間に光源２１０で発生した光が漏洩する可能性もある。
これを防止するために、第２面５２０の内側面には、例えば、光吸収フィルム５２７を形成することができる。光吸収フィルム５２７は光学部材４００と第２面５２０との間に漏洩される光を吸収して第２面５２０及び光学部材４００との間に漏洩される光を減少させる。
【実施例２】
【００３３】
図３は、本発明の第２の実施例によるバックライトアセンブリの断面図である。図４は、図３の「Ｂ」部分の拡大図である。本発明の第２の実施例によるバックライトアセンブリは、スペーサを除くと第１の実施例のバックライトアセンブリと同じ構成を有するので、その重複された説明は省略する。したがって、第１の実施例と同じ構成要素に対しては同じ参照番号及び名称を付与する。
【００３４】
図３及び図４を参照すると、第２面５２０と光学部材４００との間にスペーサ５２９を介在させる。スペーサ５２９はパネルガイド部材５００の第２面５２０の厚さの偏差があっても第２面５２０及び光学部材４００が相互接触することを防止する。
【００３５】
スペーサ５２９は、第２面５２０の内側面が光学部材４００と相互接触しないように、十分な厚さＴ１を有することが望ましい。本実施例で、スペーサ５２９は弾性を有する弾性部材、例えば、ゴムなどを用いることが望ましい。
本実施例によるスペーサ５２９は望ましくは、パネルガイド部材５００の第２面５２０の内側面に形成することができる。また、これと違って、スペーサ５２９を反射カバー２２０上に形成することもできる。
【実施例３】
【００３６】
図５は、本発明の第３の実施例による表示装置を示した断面図である。図６は図５の「Ｃ」部分の拡大図である。
本発明の第３の実施例による表示装置は表示パネル及びトップシャーシを除くと前述した第１の実施例及び第２の実施例に示したバックライトアセンブリと同じ構成を有する。したがって、第１の実施例及び第２の実施例と同じ部分に対する重複された説明は省略し、同じ構成要素に対しては同じ参照符号及び名称を付与する。
【００３７】
図５及び図６を参照すると、パネルガイド部材５００の第２面５２０の外側面には表示パネル６００が配置される。表示パネル６００は、薄膜トランジスタ基板６１０及びカラーフィルタ基板６２０を含み、薄膜トランジスタ基板６１０とカラーフィルタ基板６２０との間には液晶層６３０が配置される。
【００３８】
薄膜トランジスタ基板６１０には、第１偏光板６１５が配置され、カラーフィルタ基板６２０には第２偏光板６２５が配置される。
トップシャーシ７００はパネルガイド部材５００に配置された表示パネル６００がパネルガイド部材５００の外部に離脱することを防止する。
【００３９】
これを具現するために、トップシャーシ７００は、表示パネル６００の外周部分を囲む第１シャーシ面７１０及び第１シャーシ面７１０から収納容器１００の側壁１２０と平行な方向に延びた第２シャーシ面７２０を含む。
第２シャーシ面７２０は、望ましくは、収納容器１００の側壁１２０などにフック結合することが好ましい。
【００４０】
尚、本発明は、上述の実施例に限られるものではない。本発明の技術的範囲から逸脱しない範囲内で多様に変更実施することが可能である。
【図面の簡単な説明】
【００４１】
【図１】本発明の第１の実施例によるバックライトアセンブリの断面図である。
【図２】図１の「Ａ」部分の拡大図である。
【図３】本発明の第２の実施例によるバックライトアセンブリの断面図である。
【図４】図３の「Ｂ」部分の拡大図である。
【図５】本発明の第３の実施例による表示装置を示した断面図である。
【図６】図５の「Ｃ」部分の拡大図である。
【符号の説明】
【００４２】
１００        収納容器
１１０        底面
１２０        側壁
２００        光源ユニット
２１０        光源
２２０        反射カバー
３００        導光板
３１０        光入射面
３２０        光反射面
３３０        光出射面
３５０        反射板
４００        光学部材
５００        パネルガイド部材
５１０        第１面
５２０        第２面
５２５        しきい
５２７        光吸収フィルム
５２９        スペーサ
６００        表示パネル
６１０        薄膜トランジスタ基板
６１５        第１偏光板
６２０        カラーフィルタ基板
６２５        第２偏光板
６３０        液晶層
７００        トップシャーシ
７１０        第１シャーシ面
７２０        第２シャーシ面
【図１】
2006049282.tif 000003
【図２】
2006049282.tif 000004
【図３】
2006049282.tif 000005
【図４】
2006049282.tif 000006
【図５】
2006049282.tif 000007
【図６】
2006049282.tif 000008